(57)【要約】【課題】この発明は、園芸に用いられる除草具において、切断刃を水平と垂直に設けることにより、雑草の根、根元及び茎を同時に切断できるようにした根切り用除草具に関する。【解決手段】劣弧状の鋼板３の内周縁５に切断刃７を設けた切断刃本体９と、切断刃本体９を切断部１１及び支持部１３に分けかつ切断部１１及び支持部１３の境１５を折曲せしめ、切断部１１の端側を切断刃７の端側より切欠１７し、支持部１３の端側に所定の角度を設けた取付け部１９を斜設しかつ取付け部１９に把持棒２１を具設した根切り用除草具１である。【選択図】図２
2018183127.tif 000002
【特許請求の範囲】
【請求項１】
劣弧状の鋼板の内周縁に切断刃を設けた切断刃本体と、前記切断刃本体を切断部及び支持部に分けかつ前記切断部及び前記支持部の境を折曲せしめ、前記切断部の端側を前記切断刃の端側より切欠し、前記支持部の端側に所定の角度を設けた取付け部を斜設しかつ前記取付け部に把持棒を具設したことを特徴とする根切り用除草具。
【請求項２】
前記切断刃本体の外周縁に複数個の突起を連設したことを特徴とする請求項１記載の根切り用除草具。
【請求項３】
前記把持棒の周部に複数個の凹欠部を連設したことを特徴とする請求項１〜２記載の根切り用除草具。
【発明の詳細な説明】
【技術分野】
【０００１】この発明は、園芸に用いられる除草具において、切断刃を水平と垂直に設けることにより、雑草の根、根元及び茎を同時に切断できるようにした根切り用除草具に関する。
【背景技術】
【０００２】畑の畝などでおこなわれる除草方法の一例として、削り鍬やねじり鎌などの除草具で雑草の根を切断する方法があります。根を切断された雑草は再生できなくなるので良い方法である。
しかし、現在普及している根を切断する除草具の多くは、生長前の小さな雑草には適していますが、生長して繁殖した雑草の根を切断する際には切断刃の支柱に雑草の根元や茎が引っ掛かるために、切断刃の連続した移動が妨げられなどの不具合が有る。【０００３】特許文献１は、水平の切断刃を二股状に分岐された支柱で支えている構造である為に、枠内を通過できる小さな雑草には有効である。しかし、生長して繁殖した雑草などでは雑草の茎が枠内を通過できない。さらに、支柱に雑草の根元や茎が引っ掛かるために切断刃の移動が妨げられるなどの欠点を有している。
【先行技術文献】
【特許文献】
【０００４】
【特許文献１】特開平９−１２１６０１
【発明の概要】
【発明が解決しようとする課題】
【０００５】畑の畝などに生えた雑草の除草には、刈払い機や鎌などで雑草の茎を切断する方法があります。しかし、前記方法では地中に雑草の根元や根が残るために容易に再生するので、頻繁な除草が必要となって疲労を招く。
削り鍬やねじり鎌などで根を切断する方法では、雑草の根が切断されるために再生できなくなるので良い方法であるが、根を切断する除草具には共通の不具合がある。【０００６】上記の除草具には、切断刃の中央、端側及び両端に支柱を設け、かつ支柱に柄を設けた構造の除草具などがあります。
何れの除草具も生長前の小さな雑草の根を切断するのには適していますが、生長して密集した雑草の根を切断する際には、切断刃の支柱に雑草の根元や茎が引っ掛かるために、切断刃の連続した移動が妨げられるなどの制約を受ける。また、広範囲な切断を必要とする際には、除草具の切断刃を頻繁に地中に打ち込まなければ成らない。
けっか、除草に要する作業時間が長くなって疲労を招くなどの欠点がある。【０００７】そこで本発明は、生長前から生長して繁殖した雑草の根、根元及び茎も同時に切断することにより、根元や茎に妨げられることなく広範囲な切断が可能となる、根切り用除草具を提供することを目的とする。
【課題を解決するための手段】
【０００８】上記問題を解決するために本発明の根切り用除草具は、劣弧状の鋼板の内周縁に切断刃を設けた切断刃本体と、切断刃本体を切断部及び支持部に分けかつ切断部及び支持部の境を折曲せしめ、切断部の端側を切断刃の端側より切欠し、支持部の端側に所定の角度を設けた取付け部を斜設しかつ取付け部に把持棒を具設してなることを特徴とする。
ここに、鋼板の内周縁部に切断刃を設けるとは、鎌の切断刃と同様に、劣弧状の鋼板の内周の側縁に切断刃を設けることである。
さらに、切断部及び支持部の境を折曲するとは、切断部に対して支持部を略直角に折曲することが好ましい。
なお、切断刃本体を切断部と支持部に分ける際に、支持部を設ける位置により右利き用と左利き用に分かれる。
そして、切断部の端側を切断刃の端側より切欠するとは、切断部に設けた切断刃の端側より外周縁に向かって斜めに切欠して尖らせることである。
さらに、支持部の端側に所定の角度を設けた取付け部を斜設するとは、根切り用除草具の切断刃本体を前方の地面に打ち込み手前に引寄せた際に、地面下の切断部が概ね地面と平行に移動せしめる角度を有した取付け部を、斜設することである。【０００９】切断刃本体の外周縁に複数個の突起を連設するとは、切断刃本体の外周縁に三角形又は櫛状の突起を、土の掃い落しに適した大きさ及び間隔で連設することである。【００１０】把持棒の周部に複数個の凹欠部を連設するとは、把持棒を握った際に凹部に指が掛かるように、把持棒の下側に半円形又は三角形などの形状で切除された凹部を連設することである。
【発明の効果】
【００１１】本発明の根切り用除草具は、劣弧状の鋼板の内周縁に切断刃を設けた切断刃本体と、切断刃本体を切断部及び支持部に分けかつ切断部及び支持部の境を折曲せしめ、切断部の端側を切断刃の端側より切欠し、支持部の端側に所定の角度を設けた取付け部を斜設しかつ取付け部に把持棒を具設することにより、切断部に設けた切断刃は水平に切断し、かつ支持部に設けた切断刃は垂直に切断することが可能である。
したがって、切断部に設けた切断刃は地中に伸びた雑草の根を水平に切断することが可能となる。
けっか、根を切断された雑草は再生できなくなるので頻繁な除草が不要となり、除草による疲労の軽減が図れるなどの利点がある。
さらに、本発明の特徴である支持部に設けた切断刃は、生長して繁殖した雑草の根元及び茎を垂直に切断することが可能となる。
けっか、切断刃本体は雑草の根元及び茎に妨げられることなく連続して移動することが可能となるので、地中下の根の切断が容易となり、除草作業に要する時間の短縮が図れるなど、優れた機能を有する。
そして、切断部の端側は斜めに切欠されているので、コンクリートや石などの際や狭い場所での除草作業が可能である。
さらに、切断部と支持部の境を折曲して構成された直角の部位で、集草後の草を掬うことも可能である。
そして、該根切り用除草具は生長前から生長した雑草まで対応できるので、雑草の生長過程に応じた個別の除草具は必要としないので経済的である。【００１２】切断刃本体の外周縁に複数個の突起を連設することにより、根切り用除草具を反転すると切断刃本体の外周縁に設けられた突起が斜め下を向くので、雑草の根元や根に付着した土に突起を打ちつけるだけで容易に掃い落すことができる。さらに、該突起は除草後の集草作業にも活用できる。
けっか、除草後の後処理が素早く出来ることにより、作業能率の向上と疲労の軽減が図れるなどの利点がある。
そして、該突起は夫々の切断刃とは反対方向に向くので、雑草の茎を持った手を切る心配が無く、安全に掃い落し作業が出来る。【００１３】把持棒の周部に複数個の凹欠部を連設することにより、該把持棒を握った際に凹欠部に指が掛かる。けっか、雑草の根を切断する際に把持棒を強く引いても滑り難くなるので除草作業が容易となる。
【図面の簡単な説明】
【００１４】
【図１】本発明に係る劣弧状の鋼板の平面図である。
【図２】本発明に係る根切り用除草具の斜視図である。
【図３】根切り用除草具の地中での切断範囲と使用方法を示す斜視図である。
【図４】本発明に係る突起を設けた根切り用除草具の斜視図である。
【図５】根切り用除草具に設けた突起で土を掃い落している斜視図である。
【図６】本発明に係る凹欠部を有する把持棒の斜視図である。
【発明を実施するための形態】
【００１５】以下、本発明の第１の実施の根切り用除草具１を図１〜図３に基づいて説明する。
図１〜図２は、劣弧状の鋼板３の内周縁５に切断刃７を設けた切断刃本体９と、切断刃本体９を切断部１１及び支持部１３に分けかつ切断部１１及び支持部１３の境１５を折曲せしめ、切断部１１の端側を切断刃７の端側より切欠１７し、支持部１３の端側に所定の角度を設けた取付け部１９を斜設しかつ取付け部１９に把持棒２１を具設した根切り用除草具１である。
【００１６】本発明は以上の構成からなるので、切断部１１及び支持部１３の切断範囲並びに根切り用除草具１の使用方法を図３に基づいて説明する。
図３は地面下における根切り用除草具１の切断状況を示す斜視図であり、切断部１１による水平方向の切断範囲２３と、支持部１３による垂直方向の切断範囲２５を示している。
次に、根切り用除草具１を使用した除草方法について説明する。雑草が生えた前方の地面に根切り用除草具１の切断刃本体９を打ち込む。切断部１１が地面と平行になるように把持棒２１を少し持ち上げる。把持棒２１を手前に引寄せることにより、切断刃７を有する切断部１１は地面下で水平方向の切断範囲２３を移動するので、雑草の根を水平に切断することが可能となる。
さらに、切断刃７を有する支持部１３は地面下で垂直方向の切断範囲２５を移動するので、雑草の根元及び茎を垂直に切断することが可能となる。
けっか、根切り用除草具１は雑草の根、根元及び茎を同時に、かつ連続して移動しながら切断することが可能となる。
【００１７】以下、本発明の第２の実施の根切り用除草具２７を図４に基づいて説明する。切断刃本体２９を構成する切断部３５及び支持部３７の外周縁３１に複数個の突起３３を連設したことを特徴とする根切り用除草具２７である。
本発明は以上の構成からなるので、根切り用除草具２７の使用方法を図５に基づいて説明する。図５は根切り用除草具２７の切断刃本体２９を反転して切断部３５及び支持部３７の外周縁３１に設けた突起３３で、切断後の雑草の根元に付着した土を掃い落している斜視図である。通常は、根元に付着した土は茎などを揺すって掃い落しますが、当考案の根切り用除草具２７を反転することにより突起３３が斜め下を向くので、突起３３を雑草の根元や根に付着した土に打ちつけるだけで容易に、かつ安全に掃い落す事が可能となる。
【００１８】以下、本発明の第３の実施の根切り用除草具３９の把持棒４１を図６に基づいて説明する。把持棒４１の周部に複数個の凹欠部４３を連設したことを特徴とする根切り用除草具３９である。本発明は以上の構成からなるので把持棒４１を図６に基づいて説明する。図６は把持棒４１を下から斜め上に見上げた斜視図であり、把持棒４１の下側に設けた複数個の凹欠部４３を示している。該把持棒４１を握ると凹欠部４３に指が掛かるので、把持棒４１を強く引いても滑り難くなり、除草作業が容易である。
さらに、凹欠部４３の設置間隔Ａは、把持棒４１を握った際に男性と女性では指の間隔が異なるので男性用と女性用を別々に設けるか、又は男性と女性の指の間隔の平均値で設けるのが望ましい。
【符号の説明】
【００１９】１、２７、３９、根切り用除草具
３、        劣弧状の鋼板
５、        内周縁
７、        切断刃
９、２９、  切断刃本体
１１、３５、切断部
１３、３７、支持部
１５、      境
１７、      切欠
１９、      取付け部
２１、４１、把持棒
２３、      水平方向の切断範囲
２５、      垂直方向の切断範囲
３１、      外周縁
３３、      突起
４３、      凹欠部
Ａ、        設置間隔
【図１】
2018183127.tif 000003
【図２】
2018183127.tif 000004
【図３】
2018183127.tif 000005
【図４】
2018183127.tif 000006
【図５】
2018183127.tif 000007
【図６】
2018183127.tif 000008